(57)【要約】      （修正有）【課題】装飾性に優れると共に、グリップに施した模様が長年の使用によっても、剥がれ落ちることなく、使用時の滑り止め効果やフィット感を良くすると共に、耐久性に優れたゴルフクラブ用グリップを提供する。【解決手段】外層１と内層の二層構造とし、外層１には複数の小孔が設けられ、これら小孔から内層の一部２ａを突き出させたものとしており、前記小孔は、グリップエンドＥに近い略１／２区域の上半部Ｎｕの以外の下半部Ｎｄと、グリップエンドＥに遠い略１／２区域の上半部Ｆｕおよび下半部Ｆｄに設けられている。【選択図】図１
0003209061.tif 000002
【実用新案登録請求の範囲】
【請求項１】
外層（１）と内層（２）の二層構造とし、外層（１）には複数の小孔（３）が設けられ、これら小孔（３）から内層（２）の一部（２ａ）を突き出させたものとしており、前記小孔（３）は、グリップエンド（Ｅ）に近い略１／２区域の上半部（Ｎｕ）の以外の下半部（Ｎｄ）と、グリップエンドＥに遠い略１／２区域の上半部（Ｆｕ）および下半部（Ｆｄ）に設けられていることを特徴とするゴルフクラブ用グリップ。
【請求項２】
前記外層（１）は、内層（２）より軟質のゴムまたは合成樹脂で形成されていることを特徴とする請求項１記載のゴルフクラブ用グリップ。
【請求項３】
前記外層（１）の硬度は、ＪＩＳ硬度３０以上５０未満であり、内層（２）の硬度は、ＪＩＳ硬度５０以上６５未満であることを特徴とする請求項２記載のゴルフクラブ用グリップ。
【請求項４】
前記外層（１）と内層（２）とは互いに異なる色彩にしていることを特徴とする請求項１〜３の何れかに記載のゴルフクラブ用グリップ。
【請求項５】
前記内層（２）の一部（２ａ）の突き出させ具合は、グリップエンド（Ｅ）に近い方からグリップエンド（Ｅ）に遠い方に向かうにしたがい、徐々に大きく突き出させたものとしていることを特徴とする請求項１〜４の何れかに記載のゴルフクラブ用グリップ。
【請求項６】
前記内層（２）の一部（２ａ）の突き出させ具合は、グリップエンド（Ｅ）に近い略１／２区域より、グリップエンド（Ｅ）に遠い略１／２区域のほうが大きく突き出させたものとしていることを特徴とする請求項１〜４の何れかに記載のゴルフクラブ用グリップ。
【考案の詳細な説明】
【技術分野】
【０００１】
この考案は、ゴルフクラブのシャフトに装着されるゴルフクラブ用グリップに関するものである。
【背景技術】
【０００２】
従来のゴルフクラブ用グリップとしては、ゴムや合成樹脂からなるものが存在し、使用時の滑り止めなどのために、全表面に凹凸起を形成したものが存在する（特許文献１）。
【０００３】
さらに、従来のゴルフクラブ用グリップとしては、全表面に凹凸条を形成し、凹条内に適宜な色の塗装を施し、いわゆるラインカラーを形成して、装飾性をより良くしたものが存在する（特許文献２）。
【０００４】
また、従来のゴルフクラブ用グリップとしては、ゴムや合成樹脂からなり、内層と外層の二層構造としたものが存在する。このようなゴルフクラブ用グリップは、内層を硬質のゴム層とし、外層を軟質のゴム層としたり、逆に内層を軟質のゴム層とし、外層を硬質のゴム層としたりして、使用時の滑り止め効果やフィット感を良くしたものが存在する（特許文献３）。
【先行技術文献】
【特許文献】
【０００５】
【特許文献１】特開２００３−３２５７１２号公報
【特許文献２】特開平３ー１１２５７５号公報
【特許文献３】実開昭５９ー８７８５８号公報
【考案の概要】
【考案が解決しようとする課題】
【０００６】
しかしながら、上記従来のゴルフクラブ用グリップにおいて、全表面に凹凸起を形成したものでは、その凹凸部分に印刷等がし辛く、ロゴマークやデザイン等を施すのが困難であるという課題を有していた。
【０００７】
さらに、上記従来のゴルフクラブ用グリップにおいて、全表面に凹凸起を形成したものでは、両手とも素手でグリップを握った場合の感触や滑り止め効果は、何れの部分でも同じになるが、片手にグロ−ブをはめた場合には、グロ−ブをはめた手の方が滑りにくくなるので、逆にフィット感が悪くなったり、バランスが取りにくくなることもあるという課題を有していた。
【０００８】
そして、上記従来のゴルフクラブ用グリップにおいて、凹条内に適宜な色の塗装を施したものは、装飾性が良くなるが、長年の使用によって、その塗装が剥がれ落ちてしまい、わざわざ施した模様が台無しになってしまうという課題を有していた。
【０００９】
また、上記従来のゴルフクラブ用グリップにおいて、単に内層と外層の二層構造としたものは、使用時の滑り止め効果やフィット感が良くなるとしても、装飾性に劣るという課題を有していた。さらに、このようなゴルフクラブ用グリップでは、長年の使用によって、二層構造間の密着力が低下し、内層と外層との間にズレが生じ、内層から外層が剥がれてしまうことがあり、耐久性に欠けるという課題を有していた。
【００１０】
そこで、この考案は、上記従来の課題を解決するものであり、装飾性に優れると共に、グリップに施した模様が長年の使用によっても、剥がれ落ちることなく、使用時の滑り止め効果やフィット感を良くすると共に、耐久性に優れたゴルフクラブ用グリップを提供することを目的としてなされたものである。
【課題を解決するための手段】
【００１１】
そのため、この考案のゴルフクラブ用グリップは、外層１と内層２の二層構造とし、外層１には複数の小孔３が設けられ、これら小孔３から内層２の一部２ａを突き出させたものとしており、前記小孔３は、グリップエンドＥに近い略１／２区域の上半部Ｎｕの以外の下半部Ｎｄと、グリップエンドＥに遠い略１／２区域の上半部Ｆｕおよび下半部Ｆｄに設けられている。
【００１２】
さらに、この考案のゴルフクラブ用グリップにおいて、前記外層１は、内層２より軟質のゴムまたは合成樹脂で形成されている。
【００１３】
さらに、このゴルフクラブ用グリップにおいて、前記外層１の硬度は、ＪＩＳ硬度３０以上５０未満であり、内層２の硬度は、ＪＩＳ硬度５０以上６５未満であるようにしている。
【００１４】
さらに、このゴルフクラブ用グリップにおいて、前記外層１と内層２とは互いに異なる色彩にしている。
【００１５】
さらに、このゴルフクラブ用グリップにおいて、前記内層２の一部２ａの突き出させ具合は、グリップエンドＥに近い方からグリップエンドＥに遠い方に向かうにしたがい、徐々に大きく突き出させたものとしている。
【００１６】
さらに、このゴルフクラブ用グリップにおいて、前記内層２の一部２ａの突き出させ具合は、グリップエンドＥに近い略１／２区域より、グリップエンドＥに遠い略１／２区域のほうが大きく突き出させたものとしている。
【考案の効果】
【００１７】
この考案のゴルフクラブ用グリップは、グリップエンドＥに近い略１／２区域の上半部Ｎｕに印刷等がし易くなり、ロゴマークやデザイン等を施すのが容易なものとなると共に、素手で握る部分とグローブをはめた手で握る部分の滑り止め効果のバランスが取り易くなり、さらにフィット感も良くすることができる。
【００１８】
そして、この考案のゴルフクラブ用グリップは、外層１に設けた複数の小孔３から突出した内層２の色彩が模様として浮き上がらせることができ、その模様が際立ったものとなって、装飾性に優れたものとなる。
【００１９】
さらに、この考案のゴルフクラブ用グリップは、内層２の一部２ａの突き出させ具合を調整したものでは、素手で握る部分とグローブをはめた手で握る部分との滑り止め効果のバランスがより取り易くなると共に、フィット感をより良くすることができる。
【００２０】
また、この考案のゴルフクラブ用グリップは、内層２の一部２ａの突き出させた部分がズレの抵抗となって、二層構造とした外層１と内層２との間にズレが生じて内層２から外層１が剥がれてしまうこともなく、耐久性に優れたものとなる。
【図面の簡単な説明】
【００２１】
【図１】この考案のゴルフクラブ用グリップの第一実施形態を示す斜視図である。
【図２】図１に示すこの考案のゴルフクラブ用グリップの縦断面図である。
【図３】図２中の円ａで囲んだ部分のこの考案のゴルフクラブ用グリップの拡大断面図である。
【図４】図２中の円ｂで囲んだ部分のこの考案のゴルフクラブ用グリップの拡大断面図である。
【図５】図３中のＡ−Ａ線によるこの考案のゴルフクラブ用グリップの拡大断面図である。
【図６】図４中のＢ−Ｂ線によるこの考案のゴルフクラブ用グリップの拡大断面図である。
【図７】この考案のゴルフクラブ用グリップの第二実施形態を示す斜視図である。
【図８】図７に示すこの考案のゴルフクラブ用グリップの縦断面図である。
【図９】図８中の円ｃで囲んだ部分のこの考案のゴルフクラブ用グリップの拡大断面図である。
【図１０】図８中の円ｄで囲んだ部分のこの考案のゴルフクラブ用グリップの拡大断面図である。
【図１１】図９中のＣ−Ｃ線によるこの考案のゴルフクラブ用グリップの拡大断面図である。
【図１２】図１０中のＤ−Ｄ線によるこの考案のゴルフクラブ用グリップの拡大断面図である。
【考案を実施するための形態】
【００２２】
以下、この考案のゴルフクラブ用グリップを実施するための形態を、図面に基づいて詳細に説明する。
【００２３】
この考案のゴルフクラブ用グリップは、第一実施形態として図１〜６、第二実施形態として図７〜１２に示したように、グリップＧを後端から前端に向かって徐々に細くなるように形成し、互いに異なる色彩の外層１と内層２の二層構造とし、外層１には連続又は不連続とした複数の小孔３が設けられている。ここで、連続とは、複数の小孔３どうしが接触し合って互いに繋がっている場合をいい、不連続とは、複数の小孔３どうしが接触し合わず互いに離れている場合をいう。
【００２４】
この考案のゴルフクラブ用グリップは、第一、二実施形態のいずれも、前記小孔３から内層２の一部２ａを突き出させたものとしており、前記外層１は、内層２より軟質のゴムまたは合成樹脂で形成されており、さらに前記小孔３は、グリップエンドＥに近い略１／２区域の上半部Ｎｕの以外の下半部Ｎｄと、グリップエンドＥに遠い略１／２区域の上半部Ｆｕおよび下半部Ｆｄ（全周部）に設けられている。ここで、上半部とは、使用者がグリップを握ったときに上になる方の半分をいい、下半部とは、使用者がグリップを握ったときに下になる方の半分をいう。前記外層１の硬度は、ＪＩＳ硬度３０以上５０未満、好ましくはＪＩＳ硬度３５以上４５未満であり、内層２の硬度は、ＪＩＳ硬度５０以上６５未満、好ましくはＪＩＳ硬度５５以上６０未満であるようにしている。さらに、外層１と内層２との硬度差は、両者のＪＩＳ硬度の範囲で１０以上であるのが好ましい。
【００２５】
そして、このゴルフクラブ用グリップにおいて、図１〜６に示したものでは、前記内層２の一部２ａの突き出させ具合は、グリップエンドＥに近い方からグリップエンドＥに遠い方に向かうにしたがい、徐々に大きく突き出させたものとしている。例えば、グリップエンドＥに最も近い部分においては０. １ｍｍになるようにし、グリップエンドＥに最も遠い部分においては１. ０ｍｍになるようにして、グリップエンドＥに近い側からグリップエンドＥに遠い側に向かうにしたがい、徐々に大きく突き出させたものとしている。これは、グリップエンドＥに近い略１／２区域は、使用者がゴルフをするとき主にグローブをはめた手で握る部分となり滑りにくくなるため、このような突き出させ具合としているが、外層１および内層２に使用するゴムや合成樹脂の硬さや、用いるクラブの種類によったり、使用者の好みによって、その内層２の一部２ａの突き出させる寸法を調整することができる。
【００２６】
さらに、このゴルフクラブ用グリップにおいて、図７〜１２に示したものでは、前記内層２の一部２ａの突き出させ具合は、グリップエンドＥに近い略１／２区域より、グリップエンドＥに遠い略１／２区域のほうが大きく突き出させたものとしている。例えば、グリップエンドＥに近い略１／２区域においては０. ５ｍｍになるようにし、グリップエンドＥに遠い略１／２区域においては１. ０ｍｍになるようにして突き出させたものとしている。これは、グリップエンドＥに近い略１／２区域は、使用者がゴルフをするとき主にグローブをはめた手で握る部分となり滑りにくくなるため、このような突き出させ具合としているが、前記したものと同様に、外層１および内層２に使用するゴムや合成樹脂の硬さや、用いるクラブの種類によったり、使用者の好みによって、その突き出させる寸法を調整することができる。
【００２７】
なお、このゴルフクラブ用グリップにおいて、グリップエンドＥに近い略１／２区域とは、使用者がゴルフをするとき主にグローブをはめた手で握る部分をいい、グリップエンドＥに遠い略１／２区域とは、使用者がゴルフをするとき主に素手で握る部分をいう。
【００２８】
また、この考案のゴルフクラブ用グリップは、グリップエンドＥに近い略１／２区域の上半部Ｎｕは、図１〜６に示したものでは、外層１と内層２の二層構造としているが、図７〜１２に示したもののように、外層１を形成しないで内層２の一層構造として、この内層２が露出するようにしたり、図示していないが、内層２を形成しないで外層１の一層構造とするなど、必ずしもグリップ全体を外層１と内層２の二層構造とはしなくてもよい。さらに、前記上半部Ｎｕは、図示したものでは、平滑な面としているが、ロゴマークやデザイン等を施すのに差し支えない程度のシボ加工や梨地加工などを行った面としてもよい。
【００２９】
前記外層１および内層２は、例えば外層１を内層２より薄く形成し、外層１を内層２より軟質の材料で形成したり、外層１を内層２より厚く形成し、外層１を内層２より硬質の材料で形成したり、外層１と内層２を同じ厚さに形成し、外層１と内層２を同質の材料で形成するなど、各種の態様とすることも可能である。どのような態様にするかは、用いるクラブの種類によったり、使用者の好みによって適宜、選択することができる。
【００３０】
さらに、前記外層１および内層２は、グリップエンドＥに近い方から遠い方に向かって、徐々に直径を小さくしていくと共に徐々に薄くなるように形成することにより、徐々に細くなるように形成しているが、このように形成しておれば、前記外層１および内層２の厚さは一定にしてもよく、また外層１および内層２の直径は一定にして、厚さのみをグリップエンドＥに近い方から遠い方に向かって徐々に薄くなるようにしてもよい。
【００３１】
この考案において、外層１と内層２とは互いに異なる色彩にしているが、色彩の濃淡の差を大きくするのが好ましい。すなわち、外層１を濃い色にした場合には、内層２を淡い色にするのが好ましく、内層２を濃い色にした場合には、外層１を淡い色にするのが好ましい。このようにすると、内層２の色彩がより際立った模様として浮き上がらせることができ、より装飾性に優れたものとなる。
【００３２】
前記小孔３は、図示したものでは、星形の小孔を略等間隔で複数個、設けたものとしているが、その他各種の形態とすることができる。例えば、円形、三角形、菱形などの幾何学形状、犬や猫、草花などの動植物を象った形状の小孔を、グリップＧに略等間隔で複数個、設けたものとしたりすることができる。なお、この考案において小孔とは、円形とした場合には直径が２〜１５ｍｍのものをいい、星形、三角形、菱形などの幾何学形状とした場合にはその形状の外接円の直径が２〜１５ｍｍのものをいい、犬や猫、草花などの動植物を象った形状とした場合にはその形状が直径２〜１５ｍｍの円形の中に納まるものをいう。
【００３３】
以上のように構成されたこの考案のゴルフクラブ用グリップは、図１〜６に示したものでは、グリップエンドＥに近い略１／２区域の上半部Ｎｕには小孔３が設けられていないため内層２の一部２ａが突き出すことなく、外層１の表面のみが露出しており、図７〜１２に示したものでは、グリップエンドＥに近い略１／２区域の上半部Ｎｕには小孔３が設けられず、内層２の表面のみが露出しているので、印刷等がし易くなり、ロゴマークやデザイン等を施すのが容易なものとなる。
【００３４】
そして、この考案のゴルフクラブ用グリップは、外層１に設けた複数の星形の小孔３から露出した内層２の一部２ａの色彩が模様として浮き上がったものとなるので、その模様が際立ったものとなり、装飾性に優れたものとなる。この場合、前記したように、色彩の濃淡の差を大きくするほど、内層２の一部２ａの色彩がより際立った模様として浮き上がらせることができ、より装飾性に優れたものとなる。
【００３５】
さらに、この考案のゴルフクラブ用グリップは、使用者がゴルフをするときに、グローブをはめた手の親指と親指の付け根から母指球が、内層２の一部２ａを突き出させていないグリップエンドＥに近い略１／２区域の上半部Ｎｕに当接し、この手の人差指、中指、薬指、小指とこれらの指の付け根から掌が、内層２の一部２ａを小さく突き出させているその略１／２区域の下半部Ｎｄに当接することになり、グローブをはめていない素手の前記したそれぞれの部分が、内層２の一部２ａを大きく突き出させているグリップエンドＥに遠い略１／２区域の上半部Ｆｕおよび下半部Ｆｄに当接することになり、素手で握る部分とグローブをはめた手で握る部分との滑り止め効果のバランスがより取り易くなると共に、フィット感をより良くすることができる。
【００３６】
また、この考案のゴルフクラブ用グリップは、前記したようにグリップエンドＥに近い略１／２区域の下半部Ｎｄでは内層２の一部２ａを小さく突き出させており、グリップエンドＥに遠い略１／２区域の上半部Ｆｕおよび下半部Ｆｄでは内層２の一部２ａを大きく突き出させたものとしているので、これらの突き出させた内層２の一部２ａがズレの抵抗となって、二層構造とした外層１と内層２との間にズレが生じて内層２から外層１が剥がれてしまうこともなく、耐久性に優れたものとなる。
【符号の説明】
【００３７】
１  外層
Ｎｕ  上半部
Ｎｄ  下半部
Ｆｕ  上半部
Ｆｄ  下半部
２  内層
２ａ  一部
３  小孔
Ｅ  グリップエンド
Ｇ  グリップ
【図１】
0003209061.tif 000003
【図２】
0003209061.tif 000004
【図３】
0003209061.tif 000005
【図４】
0003209061.tif 000006
【図５】
0003209061.tif 000007
【図６】
0003209061.tif 000008
【図７】
0003209061.tif 000009
【図８】
0003209061.tif 000010
【図９】
0003209061.tif 000011
【図１０】
0003209061.tif 000012
【図１１】
0003209061.tif 000013
【図１２】
0003209061.tif 000014